(57)【要約】【課題】労力を掛けずに旅行に有用な情報を得ることが可能な情報提供システムを提供する。【解決手段】情報提供システム２は、ランドマーク、およびその周辺における滞在予定時間を指定する指定情報を入力するための操作入力部１６を有するパーソナルコンピュータ１０ａと、ランドマーク周辺の観光スポットに関するスポット情報を記憶するデータストレージ１３と、指定情報およびスポット情報に基づいて、ランドマーク周辺のお勧めの観光コースを示すコース情報を作成するコース情報作成部３５を有するサーバ１２とから構成される。パーソナルコンピュータ１０ａおよびサーバ１２は、通信Ｉ／Ｆ２２、３２を介して、インターネット１１経由で指定情報およびコース情報の遣り取りを行う。コース情報作成部３５は、観光スポットの良し悪しを表す評価値の高い観光スポットから順に、お勧めの観光コースに選定する。【選択図】図３
2008033399.tif 000002
【特許請求の範囲】
【請求項１】
ランドマーク、およびその周辺における滞在予定時間を指定する指定情報を入力するための操作入力部を有する情報端末と、
前記ランドマーク周辺の観光スポットに関するスポット情報を記憶する記憶部と、
前記指定情報および前記スポット情報に基づいて、前記ランドマーク周辺のお勧めの観光コースを示すコース情報を作成する作成部を有するサーバとから構成され、
前記情報端末および前記サーバは、インターネットを介して接続されており、前記インターネット経由で前記指定情報および前記コース情報の送受信を行う送受信部を有することを特徴とする情報提供システム。
【請求項２】
前記記憶部には、前記ランドマークが登録された電子地図のデータが記憶されており、
前記情報端末は、前記指定情報を入力する際に前記電子地図を表示する表示部を有することを特徴とする請求項１に記載の情報提供システム。
【請求項３】
前記記憶部には、前記電子地図のデータと前記ランドマークのＩＤ、および前記ランドマークのＩＤと前記ランドマークの位置とが関連付けて記憶されていることを特徴とする請求項２に記載の情報提供システム。
【請求項４】
前記スポット情報は、前記観光スポットの良し悪しを表す評価値を少なくとも含み、
前記作成部は、前記評価値の高い観光スポットから順に、前記お勧めの観光コースに選定することを特徴とする請求項１ないし３のいずれかに記載の情報提供システム。
【請求項５】
前記スポット情報は、前記観光スポットの名称、前記観光スポットで撮影された画像データ、前記観光スポットの良し悪しを表す評価値、および前記観光スポットでの平均の滞在時間を少なくとも含み、前記ランドマークのＩＤと関連付けて記憶されていることを特徴とする請求項１ないし４のいずれかに記載の情報提供システム。
【請求項６】
前記コース情報は、前記観光スポットの名称、前記観光スポットで撮影された画像データ、前記観光スポットの良し悪しを表す評価値、前記観光スポットでの平均の滞在時間、および全滞在時間を少なくとも含むことを特徴とする請求項１ないし５のいずれかに記載の情報提供システム。
【請求項７】
前記スポット情報は、前記情報端末から登録されることを特徴とする請求項１ないし６のいずれかに記載の情報提供システム。
【請求項８】
前記サーバは、前記操作入力部の操作に応じて、前記情報端末に前記スポット情報を送信することを特徴とする請求項１ないし７のいずれかに記載の情報提供システム。
【請求項９】
前記サーバは、前記観光スポットの良し悪しを表す評価値の高い順、または前記観光スポットでの平均の滞在時間の長い順に、送信するスポット情報の観光スポットをソートするソート部を有し、
前記情報端末は、送信されたスポット情報をソート順に一覧で表示する表示部を有することを特徴とする請求項８に記載の情報提供システム。
【請求項１０】
前記スポット情報は、前記情報端末から登録され、
前記サーバは、登録日時の新しい順、または登録件数の多い順に、送信するスポット情報の観光スポットをソートするソート部を有し、
前記情報端末は、送信されたスポット情報をソート順に一覧で表示する表示部を有することを特徴とする請求項８または９に記載の情報提供システム。
【請求項１１】
前記情報端末は、パーソナルコンピュータ、または携帯電話であることを特徴とする請求項１ないし１０のいずれかに記載の情報提供システム。
【発明の詳細な説明】
【技術分野】
【０００１】
本発明は、インターネット経由でサーバから情報端末に情報を提供する情報提供システムに関する。
【背景技術】
【０００２】
従来、個人で計画を立てて旅行をする際には、旅行情報誌やインターネットを使って旅行先周辺の観光スポットの情報を収集し、立ち寄る観光スポットを自分で時間を掛けて検討しなければならず、多くの労力が必要であった。また、折角計画を立てて旅行をしても、慣れない土地のことで迷子になったり、観光スポットを回る時間配分に無理があって回りきれなかったりと、旅行を充分に楽しめない事態が起こることがあった。このため、予め決まったコースをガイドがついて回るような、旅行会社の主催する観光ツアーのように、個人旅行よりも自由度が無く割高な旅行に参加せざるを得ないのが現状であった。
【０００３】
観光スポットの情報収集を容易にするために、撮影した画像データと位置データとが関連付けられてサーバに登録され、画像の撮影位置を示すマーカと画像のサムネイル一覧とが表示された電子地図を閲覧することが可能な画像データ登録・再生システムが提案されている（特許文献１参照）。このシステムでは、画像を選択すると、撮影者のコメントなどを含む詳細データが表示される。
【０００４】
また、撮影画像と撮影場所の位置情報とが対応付けられてサーバに登録され、撮影場所を示す地点標識が表示された電子地図を閲覧することが可能な画像受配信システムが提案されている（特許文献２参照）。このシステムでは、地点標識を選択することにより、その位置に対応した撮影画像を得ることができる。
【０００５】
さらに、撮影画像データとともに撮影日時データと撮影場所データをサーバに蓄積し、顧客の情報端末で撮影画像と撮影日時と撮影場所とを閲覧することが可能な個人用のオンラインアルバムシステムが提案されている（特許文献３参照）。
【０００６】
また、旅行先でリアルタイムに情報を入手するために、旅行会社やタウン情報誌、観光協会などのデータベースから、顧客の携帯電話に旅行の情報を提供することができ、旅行先で撮影した画像、感想などの履歴をデータセンターに送信することが可能な地域情報提供及び履歴記憶システムが提案されている（特許文献４参照）。特許文献４には、顧客が予め周遊するコースをデータセンターに登録しておき、顧客がコースを変更した場合は、変更履歴を各顧客共通のデータベースに格納し、このデータベースの情報を用いてお勧めの観光コースを他の顧客に提供する旨が開示されている。
【特許文献１】特開２００２−２７８９９３号公報
【特許文献２】特開２００３−０９９４５１号公報
【特許文献３】特開２００５−３３９２１４号公報
【特許文献４】特開２００３−０４４５５２号公報
【発明の開示】
【発明が解決しようとする課題】
【０００７】
しかしながら、特許文献１〜３に記載の発明は、旅行の計画を立てるために役立つ情報が画像やコメント程度しかなく、また、撮影場所の情報が必須であるため、ＧＰＳのような位置特定機能付きの撮影装置を用意しなければならなかった。特に、特許文献３に記載の発明は、個人用のオンラインアルバムシステムであって、他の顧客への情報提供を行うものではないため、いずれの発明もサービスの適用範囲が非常に狭いという問題があった。
【０００８】
また、特許文献４に記載の発明は、旅行先での不測の事態に対処することはできるが、顧客がコースを変更した場合以外はお勧めの観光コースが提供されないので、結局は自分で計画を立てなければならず、旅行前の顧客の労力を軽減するには至らなかった。
【０００９】
本発明は、上記課題を鑑みてなされたものであり、労力を掛けずに旅行に有用な情報を得ることが可能な情報提供システムを提供することを目的とする。
【課題を解決するための手段】
【００１０】
上記目的を達成するために、本発明は、ランドマーク、およびその周辺における滞在予定時間を指定する指定情報を入力するための操作入力部を有する情報端末と、前記ランドマーク周辺の観光スポットに関するスポット情報を記憶する記憶部と、前記指定情報および前記スポット情報に基づいて、前記ランドマーク周辺のお勧めの観光コースを示すコース情報を作成する作成部を有するサーバとから構成され、前記情報端末および前記サーバは、インターネットを介して接続されており、前記インターネット経由で前記指定情報および前記コース情報の送受信を行う送受信部を有することを特徴とする。
【００１１】
前記記憶部には、前記ランドマークが登録された電子地図のデータが記憶されており、前記情報端末は、前記指定情報を入力する際に前記電子地図を表示する表示部を有することが好ましい。
【００１２】
前記記憶部には、前記電子地図のデータと前記ランドマークのＩＤ、および前記ランドマークのＩＤと前記ランドマークの位置とが関連付けて記憶されていることが好ましい。
【００１３】
前記スポット情報は、前記観光スポットの良し悪しを表す評価値を少なくとも含み、前記作成部は、前記評価値の高い観光スポットから順に、前記お勧めの観光コースに選定することが好ましい。
【００１４】
前記スポット情報は、前記観光スポットの名称、前記観光スポットで撮影された画像データ、前記観光スポットの良し悪しを表す評価値、および前記観光スポットでの平均の滞在時間を少なくとも含み、前記ランドマークのＩＤと関連付けて記憶されていることが好ましい。
【００１５】
前記コース情報は、前記観光スポットの名称、前記観光スポットで撮影された画像データ、前記観光スポットの良し悪しを表す評価値、前記観光スポットでの平均の滞在時間、および全滞在時間を少なくとも含むことが好ましい。
【００１６】
前記スポット情報は、前記情報端末から登録されることが好ましい。
【００１７】
前記サーバは、前記操作入力部の操作に応じて、前記情報端末に前記スポット情報を送信することが好ましい。
【００１８】
この場合、前記サーバは、前記観光スポットの良し悪しを表す評価値の高い順、または前記観光スポットでの平均の滞在時間の長い順に、送信するスポット情報の観光スポットをソートするソート部を有し、前記情報端末は、送信されたスポット情報をソート順に一覧で表示する表示部を有することが好ましい。
【００１９】
また、前記スポット情報は、前記情報端末から登録され、前記サーバは、登録日時の新しい順、または登録件数の多い順に、送信するスポット情報の観光スポットをソートするソート部を有し、前記情報端末は、送信されたスポット情報をソート順に一覧で表示する表示部を有することが好ましい。
【００２０】
前記情報端末は、パーソナルコンピュータ、または携帯電話であることが好ましい。
【発明の効果】
【００２１】
本発明の情報提供システムによれば、ランドマーク、およびその周辺における滞在予定時間を指定する指定情報を入力するための操作入力部を有する情報端末と、ランドマーク周辺の観光スポットに関するスポット情報を記憶する記憶部と、指定情報およびスポット情報に基づいて、ランドマーク周辺のお勧めの観光コースを示すコース情報を作成する作成部を有するサーバとから構成され、情報端末およびサーバは、インターネットを介して接続されており、インターネット経由で指定情報およびコース情報の送受信を行う送受信部を有するので、労力を掛けずに旅行に有用な情報を得ることが可能となる。
【発明を実施するための最良の形態】
【００２２】
図１において、情報提供システム２は、パーソナルコンピュータ（以下、ＰＣと略す。）１０ａや携帯電話１０ｂなどの複数の情報端末１０（以下では、ＰＣ１０ａを情報端末１０の代表例として説明する。）と、これらの情報端末１０にインターネット１１経由で接続されたサーバ１２と、サーバ１２に接続されたデータストレージ１３とから構成される。情報提供システム２は、情報端末１０からの要求に応じて、サーバ１２でお勧めの観光コースを作成し、これを情報端末１０に提供するものである。
【００２３】
ＰＣ１０ａは、情報提供システム２の顧客によって使用される。また、サーバ１２およびデータストレージ１３は、情報提供システム２の管理会社が運営するデータセンター１４内に設けられている。情報提供システム２を利用する顧客は、例えば、ＰＣ１０ａでインターネット１１上の管理会社が作成したホームページにアクセスし、ユーザー名、認証ＩＤ、氏名、住所、電話番号、年齢、職業、趣味などの基本的な個人情報を初回に登録しておく。そして、次回からはユーザー名と認証ＩＤのみを入力すれば、利用することが可能となる。
【００２４】
ＰＣ１０ａは、モニタ１５と、キーボードおよびマウスからなる操作入力部１６とを備えている。図２において、ＣＰＵ２０は、ＰＣ１０ａの全体の動作を統括的に制御する。ＣＰＵ２０には、バス２１を介して、前述のモニタ１５、操作入力部１６とともに、通信Ｉ／Ｆ２２、メモリ２３、およびＨＤＤ２４が接続されている。
【００２５】
通信Ｉ／Ｆ２２は、インターネット１１を経由したサーバ１２との情報の遣り取りを媒介する。ＨＤＤ２４には、情報提供システム２に対応した種々のプログラムが記録されている。ＣＰＵ２０は、ＨＤＤ２４からプログラムを読み出してメモリ２３に展開し、読み出したプログラムを逐次処理する。また、ＣＰＵ２０は、操作入力部１６から入力される操作入力信号に応じて、ＰＣ１０ａの各部を動作させる。
【００２６】
操作入力部１６は、後述するランドマークおよび滞在予定時間を指定する指定情報を入力する際に操作される。操作入力部１６で入力された指定情報は、通信Ｉ／Ｆ２２を介してインターネット１１経由でサーバ１２に送信される。
【００２７】
図３において、ＣＰＵ３０は、サーバ１２の全体の動作を統括的に制御する。ＣＰＵ３０には、バス３１を介して、通信Ｉ／Ｆ３２、メモリ３３、ＨＤＤ３４、およびコース情報作成部３５が接続されている。ＨＤＤ３４には、情報提供システム２に対応した種々のプログラムが記録されている。ＣＰＵ３０は、ＨＤＤ３４からプログラムを読み出してメモリ３３に展開し、読み出したプログラムを逐次処理する。
【００２８】
通信Ｉ／Ｆ３２は、インターネット１１を経由したＰＣ１０ａとの情報の遣り取りを媒介するとともに、データストレージ１３内の電子地図データベース（以下、電子地図ＤＢと略す。）３６、およびスポット情報データベース（以下、スポット情報ＤＢと略す。）３７との情報の遣り取りを媒介する。
【００２９】
電子地図ＤＢ３６には、例えば、日本全国地図、都道府県地図、市区町村地図などの縮尺の異なる多数の電子地図のデータ（以下、単に地図データという。）３８、電子地図データテーブル（以下、地図ＤＴと略す。）３９、およびランドマークデータテーブル（以下、ランドマークＤＴと略す。）４０が格納されている。
【００３０】
図４に示すように、地図ＤＴ３９には、経緯度の範囲と、これらの範囲に対応する地図データ３８のファイル名、およびその経緯度の範囲内に存在するランドマークのＩＤとが関連付けて記憶されている。また、図５に示すように、ランドマークＤＴ４０には、ランドマークのＩＤと、これに対応するランドマークの名称、および経緯度とが関連付けて記憶されている。
【００３１】
なお、「ランドマーク」とは、大多数の人が知っていて、改めて住所検索などを行わないでもその所在が分かるもの、例えば、「富士山」、「琵琶湖」などの自然景勝地や、「東大寺」、「日光東照宮」などの名所・旧跡、「東京ディズニーランド」、「としまえん」などのテーマパーク・遊園地を指す。
【００３２】
図３に戻って、スポット情報ＤＢ３７には、観光スポットの様子を撮影した画像データ４１、およびスポット情報データテーブル（以下、スポット情報ＤＴと略す。）４２が格納されている。画像データ４１は、情報提供システム２の管理会社によって予め用意されている。
【００３３】
図６に示すように、スポット情報ＤＴ４２には、ランドマークのＩＤと、これに対応する観光スポットの名称、評価値、平均滞在時間、および添付された画像データ４１のファイル名とが関連付けて記憶されている。
【００３４】
なお、「スポット情報」とは、ランドマーク周辺の観光スポットに関する情報のことであり、「観光スポット」とは、ランドマーク周辺で観光客が立ち寄るような場所、例えば、公園、展望台、美術館、博物館、記念館、寺社仏閣、あるいは土産物店、レストラン、温泉、劇場、映画館などを指す。
【００３５】
また、「評価値」とは、その観光スポットの良し悪しを相対的に示す値であり、例えば、０．５刻みの１〜５段階評価（数字が高いほど評価が高い。）で表される。さらに、「平均滞在時間」とは、その観光スポットで観光客が滞在すると予測される大凡の時間である。ランドマークに対応する観光スポット、および観光スポットの評価値、平均滞在時間は、画像データ４１と同様に、情報提供システム２の管理会社によって予め設定されている。
【００３６】
再び図３に戻って、コース情報作成部３５は、通信Ｉ／Ｆ３２で受信したＰＣ１０ａからの指定情報を解析して、顧客により指定されたランドマークのＩＤを取得し、このＩＤをもつ観光スポットをスポット情報ＤＴ４２から抽出する。次いで、抽出した観光スポットのうち、評価値の高いものから順にお勧めの観光コースに選定していく。そして、顧客により指定された滞在予定時間を総滞在時間が超えるか、選定すべき観光スポットが無くなるまで上記選定を行い、指定されたランドマーク周辺のお勧めの観光コースを示す情報（以下、コース情報という。）を作成する。
【００３７】
コース情報には、選定された観光スポットの名称と観覧の順番、平均滞在時間、評価値、添付された画像データ４１、および総滞在時間が含まれている。コース情報作成部３５は、作成したコース情報を通信Ｉ／Ｆ３２を介してインターネット１１経由でＰＣ１０ａに送信する。
【００３８】
次に、上記構成を有する情報提供システム２の処理手順について、ＰＣ１０ａ側の処理を示す図７、およびサーバ１２側の処理を示す図８のフローチャート、並びに図９〜図１２を参照して説明する。まず、顧客は、ＰＣ１０ａでインターネット１１上の管理会社が作成したホームページにアクセスし、ユーザー名と認証ＩＤを入力して個人認証を行う（ログオン）。これにより、情報提供システム２の利用が開始される。
【００３９】
ログオン後、サーバ１２では、電子地図ＤＢ３６から日本全国地図の地図データ３８が読み出され、この地図データ３８が通信Ｉ／Ｆ３２を介してＰＣ１０ａに送信される。ＰＣ１０ａでは、日本全国地図の地図データ３８が通信Ｉ／Ｆ２２を介して受信され、図９に示す日本全国地図５０がモニタ１５に表示される。顧客は、この日本全国地図５０内の所望の都道府県、例えば、「東京都」にマウスのカーソル５１を合わせて選択する。
【００４０】
顧客により「東京都」が選択されると、「東京都」の地図データ３８を要求する信号がＰＣ１０ａからサーバ１２に送信される。サーバ１２では、この信号に応じて「東京都」の地図データ３８が電子地図ＤＢ３６から読み出され、通信Ｉ／Ｆ３２を介してＰＣ１０ａに送信される。ＰＣ１０ａでは、「東京都」の地図データ３８が通信Ｉ／Ｆ２２を介して受信され、図１０に示す東京都地図５２がモニタ１５に表示される。顧客は、この東京都地図５２内の所望の市区町村、例えば「港区」にマウスのカーソル５１を合わせて選択する。
【００４１】
顧客により「港区」が選択されると、「港区中心部」の地図データ３８を要求する信号がＰＣ１０ａからサーバ１２に送信される。サーバ１２では、この信号に応じて「港区中心部」の地図データ３８が電子地図ＤＢ３６から読み出され、通信Ｉ／Ｆ３２を介してＰＣ１０ａに送信される。ＰＣ１０ａでは、「港区中心部」の地図データ３８が通信Ｉ／Ｆ２２を介して受信され、図１１に示す港区中心部の地図５３がモニタ１５に表示される。
【００４２】
地図５３には、ランドマークの「東京タワー」の吹き出し５４が表示されている。また、地図５３の下方には、滞在予定時間を選択するためのプルダウンメニュー５５、および検索ボタン５６が設けられている。プルダウンメニュー５５は、例えば、「時間」が０〜９の一時間刻み、「分」が０〜５５の５分刻みで選択することが可能となっている。
【００４３】
顧客は、この地図５３内の所望のランドマーク、例えば「東京タワー」の吹き出し５４にマウスのカーソル５１を合わせて選択する。吹き出し５４にカーソル５１を合わせて選択すると、吹き出し５４の色が変わる、または点滅して、選択されたことが視覚的に分かるようになっている。
【００４４】
吹き出し５４の選択後、顧客は、プルダウンメニュー５５を操作して、所望の滞在予定時間を指定し、検索ボタン５６を選択する。検索ボタン５６が選択されると、指定したランドマークおよび滞在予定時間の情報、すなわち指定情報がＰＣ１０ａからサーバ１２に送信される。
【００４５】
サーバ１２では、通信Ｉ／Ｆ３２を介して指定情報が受信され、これがコース情報作成部３５に送信される。コース情報作成部３５では、指定情報が解析され、顧客により指定されたランドマークのＩＤが取得される。そして、取得されたＩＤをもつ観光スポットがスポット情報ＤＴ４２からコース情報作成部３５に抽出される。
【００４６】
コース情報作成部３５では、顧客により指定された滞在予定時間を総滞在時間が超えるか、選定すべき観光スポットが無くなるまで、評価値の高い観光スポットから順に、スポット情報ＤＴ４２から抽出した観光スポットをお勧めの観光コースに選定していき、コース情報が作成される。作成されたコース情報は、通信Ｉ／Ｆ３２を介してインターネット１１経由でＰＣ１０ａに送信される。
【００４７】
サーバ１２からのコース情報が受信されると、図１２に示すように、モニタ１５には、観光スポットの名称５７、平均滞在時間５８、星印で示された評価値５９、および添付画像データ４１へのリンク６０が観覧の順に一覧表示される。また、その下段には、総滞在時間６１、および再検索へのリンク６２が表示される。画像データ４１へのリンク６０にカーソル５１を合わせて選択すると、添付画像が表示される。また、再検索へのリンク６２にカーソル５１を合わせて選択すると、再度日本全国地図の地図データ３８がサーバ１２から送信されてモニタ１５に日本全国地図５０が表示され、再検索を行うことができる。
【００４８】
以上説明したように、情報提供システム２は、ＰＣ１０ａで顧客により入力された指定情報、およびスポット情報ＤＢ３７に記憶されたスポット情報ＤＴ４２に基づいて、コース情報作成部３５でコース情報を作成し、これをＰＣ１０ａに送信するので、顧客はランドマーク周辺の観光スポットを自分で調べる手間が省ける。また、ＧＰＳなどの特殊な機能を必要とせず、情報端末１０さえあれば誰でも利用することができる。
【００４９】
電子地図を表示してランドマークの指定を行わせるようにしたので、ランドマークの指定を円滑に行うことができる。さらに、評価値の高い観光スポットから順にお勧めの観光コースに選定するようにしたので、人気のある観光スポットが優先的に選定され、旅行の計画を立てる労力をより軽減することができる。
【００５０】
上記実施形態では、ランドマークに対応する観光スポット、画像データ４１、評価値、および平均滞在時間は、情報提供システム２の管理会社によって予め設定されているが、これらを顧客が登録することができるように構成してもよい。この場合、例えば、図１３に示すように、ランドマークを指定する際にモニタ１５に表示される地図５３の下方に、登録ボタン７０を設けておく。
【００５１】
そして、図１４および図１５に示すように、上記実施形態と同様に顧客がランドマークを指定した後、登録ボタン７０にカーソル５１を合わせて選択し、観光スポットの名称は素より、顧客自身が評価した評価値、実際に滞在した時間、顧客が撮影した画像などの情報（以下、登録情報という。）を、顧客自身が操作入力部１６を操作して入力する。登録ボタン７０が選択されて登録情報が入力されると、入力された登録情報が指定されたランドマークのＩＤとともにＰＣ１０ａからサーバ１２に送信される。サーバ１２では、通信Ｉ／Ｆ３２を介して登録情報が受信され、これが新たなスポット情報としてスポット情報ＤＴ４２に追加記憶される。
【００５２】
また、お勧めの観光コースの提供とは別に、ランドマークを指定したときに、その周辺の観光スポットのスポット情報を閲覧することができるようにしてもよい。この場合、例えば、図１６に示すように、ランドマークを指定する際にモニタ１５に表示される地図５３の下方に、閲覧ボタン７１を設けておく。
【００５３】
そして、図１７および図１８に示すように、上記実施形態と同様に顧客がランドマークを指定した後、閲覧ボタン７１にカーソル５１を合わせて選択すると、その旨を表す信号が指定したランドマークのＩＤとともにＰＣ１０ａからサーバ１２に送信される。サーバ１２では、通信Ｉ／Ｆ３２を介して閲覧ボタン７１が選択された旨を表す信号が受信されると、指定されたランドマークのＩＤをもつ観光スポットのスポット情報がスポット情報ＤＴ４２から抽出され、抽出されたスポット情報がＰＣ１０ａに送信される。ＰＣ１０ａでは、サーバ１２からのスポット情報が受信されると、図１２に示すコース情報の場合と同様に、観光スポットの名称５７や平均滞在時間５８、星印で示された評価値５９、および添付画像データ４１へのリンクなどがモニタ１５に一覧表示される。
【００５４】
なお、上記の場合、図１９に示すように、送信するスポット情報の観光スポットをソートするスポット情報ソート部８０をサーバ１２に設け、図２０（Ａ）に示すように評価値の高い順、または（Ｂ）に示すように平均滞在時間の長い順、スポット情報を顧客が登録する場合は、（Ｃ）に示すように登録日時の新しい順、あるいは（Ｄ）に示すように登録件数の多い順にソートし、ＰＣ１０ａに送信し、ソート順に一覧でモニタ１５に表示させる。また、スポット情報を顧客が登録する場合は、評価値、または平均滞在時間の平均値を観光スポット毎に算出し、平均値の高いものから順にソートする。そして、登録された画像データ４１のうち、最新の画像データ４１を添付する。このようにすれば、ランドマーク周辺の人気のある観光スポットを簡単に検索することができ、旅行計画を立てる際に役立てることができる。なお、図２０の○で囲む１、２は、図１８の下段の「１〜２」に対応しており、「１〜２」の部分に（Ａ）〜（Ｄ）のいずれかの処理が挿入されることを表している。
【００５５】
さらに、ランドマークを指定したときに、ランドマーク周辺での平均滞在時間を情報として提供してもよい。この場合、情報提供システム２の管理会社が平均滞在時間を予め設定しておくか、スポット情報を顧客が登録する場合は、総滞在時間の平均値を算出して、これを平均滞在時間とする。
【００５６】
なお、ランドマークの指定は、上記実施形態の電子地図を使用した例に限らず、例えば、ランドマークを複数のカテゴリ（例えば、「自然景勝地」、「名所・旧跡」、「テーマパーク・遊園地」など）に分類し、最初にプルダウンメニューなどでカテゴリを指定した後に、ランドマークを指定するようにしてもよい。あるいは、ランドマークの名称を直接入力して指定するようにしてもよい。
【００５７】
上記実施形態では、評価値の高い観光スポットから順にお勧めの観光コースに選定する例を挙げて説明したが、本発明はこれに限定されず、初回のログオン時に登録される顧客の個人情報を元に観光スポットを選定してもよい。例えば、顧客の趣味が歴史に関することであれば、寺社仏閣などの観光スポットを優先的に選定し、顧客の趣味が絵画に関することであれば、美術館などの観光スポットを優先的に選定する。これにより、より顧客の好みに合った観光コースを提供することができる。
【図面の簡単な説明】
【００５８】
【図１】情報提供システムの構成を示す概略図である。
【図２】パーソナルコンピュータの構成を示すブロック図である。
【図３】サーバおよびデータストレージの構成を示すブロック図である。
【図４】電子地図データテーブルの内容を示す説明図である。
【図５】ランドマークデータテーブルの内容を示す説明図である。
【図６】スポット情報データテーブルの内容を示す説明図である。
【図７】パーソナルコンピュータ側の処理手順を示すフローチャートである。
【図８】サーバ側の処理手順を示すフローチャートである。
【図９】日本全国地図を示す説明図である。
【図１０】東京都地図を示す説明図である。
【図１１】港区中心部の地図を示す説明図である。
【図１２】コース情報の表示状態を示す説明図である。
【図１３】顧客がスポット情報を登録する場合の例を示す説明図である。
【図１４】顧客がスポット情報を登録する場合のパーソナルコンピュータ側の処理手順を示すフローチャートである。
【図１５】顧客がスポット情報を登録する場合のサーバ側の処理手順を示すフローチャートである。
【図１６】顧客がスポット情報を閲覧する場合の例を示す説明図である。
【図１７】顧客がスポット情報を閲覧する場合のパーソナルコンピュータ側の処理手順を示すフローチャートである。
【図１８】顧客がスポット情報を閲覧する場合のサーバ側の処理手順を示すフローチャートである。
【図１９】スポット情報ソート部を設けた例を示すブロック図である。
【図２０】スポット情報ソート部を設けた場合の処理手順の例を示すフローチャートであり、（Ａ）は、評価値の高い順にソートする例、（Ｂ）は、平均滞在時間の長い順にソートする例、（Ｃ）は、登録日時の新しい順にソートする例、（Ｄ）は、登録件数の多い順にソートする例をそれぞれ示す。
【符号の説明】
【００５９】
２  情報提供システム
１０  情報端末
１０ａ  パーソナルコンピュータ（ＰＣ）
１０ｂ  携帯電話
１１  インターネット
１２  サーバ
１３  データストレージ
１５  モニタ
１６  操作入力部
２０  ＣＰＵ
２２  通信Ｉ／Ｆ
３０  ＣＰＵ
３２  通信Ｉ／Ｆ
３５  コース情報作成部
３６  電子地図データベース（電子地図ＤＢ）
３７  スポット情報データベース（スポット情報ＤＢ）
３８  地図データ
３９  地図データテーブル（地図ＤＴ）
４０  ランドマークデータテーブル（ランドマークＤＴ）
４１  画像データ
４２  スポット情報データテーブル（スポット情報ＤＴ）
５０  日本全国地図
５２  東京都地図
５３  港区中心部の地図
８０  スポット情報ソート部
【図１】
2008033399.tif 000003
【図２】
2008033399.tif 000004
【図３】
2008033399.tif 000005
【図４】
2008033399.tif 000006
【図５】
2008033399.tif 000007
【図６】
2008033399.tif 000008
【図７】
2008033399.tif 000009
【図８】
2008033399.tif 000010
【図９】
2008033399.tif 000011
【図１０】
2008033399.tif 000012
【図１１】
2008033399.tif 000013
【図１２】
2008033399.tif 000014
【図１３】
2008033399.tif 000015
【図１４】
2008033399.tif 000016
【図１５】
2008033399.tif 000017
【図１６】
2008033399.tif 000018
【図１７】
2008033399.tif 000019
【図１８】
2008033399.tif 000020
【図１９】
2008033399.tif 000021
【図２０】
2008033399.tif 000022